(57)【要約】      （修正有）【課題】簡素な形状で隙間の目隠しが可能となり、非常開放時には扉をスムーズに通過させることができ、しかも、見栄えを低下させることがない扉の隙間遮蔽構造を提供する。【解決手段】扉の隙間遮蔽構造において、出入口を有する個室を画成する壁パネルと、壁パネル側に戸尻側が回転自在に支持されて、通常時は個室の室内３３側へ開扉して出入口を開放する扉１５と、壁パネルに連結されて出入口に臨み、戸当たりエッジ２５が扉１５の戸先エッジ２７と隙間を有して対向する袖パネル１７と、戸先エッジ２７表面における室内３３側に片寄った位置に取り付けられ、戸先上下に渡って延在し、隙間を遮って戸当たりエッジ２５に向かって突出する可撓性を有する目隠し片１９と、を備える。【選択図】図４
2020037851.tif 000002
【特許請求の範囲】
【請求項１】
出入口を有する個室を画成する壁パネルと、
壁パネル側に戸尻側が回転自在に支持されて、通常時は前記個室の室内側へ開扉して前記出入口を開放する扉と、
前記壁パネルに連結されて前記出入口に臨み、戸当たりエッジが前記扉の戸先エッジと隙間を有して対向する袖パネルと、
前記戸先エッジ表面における室内側に片寄った位置に取り付けられ、戸先上下に渡って延在し、前記隙間を遮って前記戸当たりエッジに向かって突出する可撓性を有する目隠し片と、
を備えることを特徴とする扉の隙間遮蔽構造。
【請求項２】
前記目隠し片が、前記扉の内面とほぼ平行に突出し、
前記戸当たりエッジが、前記袖パネルの板厚方向の略中央を頂点とする凸曲面を、少なくとも室内側に有することを特徴とする請求項１に記載の扉の隙間遮蔽構造。
【請求項３】
前記凸曲面を形成する曲率円は、直径が、袖パネルの板厚よりも大きくかつ袖パネルの板厚の２倍よりも小さいことを特徴とする請求項２に記載の扉の隙間遮蔽構造。
【請求項４】
前記目隠し片が、前記扉の開扉側へ向かう方向に傾斜して設けられることを特徴とする請求項１に記載の扉の隙間遮蔽構造。
【請求項５】
前記目隠し片が、先端に、前記扉の開扉側へ向かう方向に屈曲した屈曲部を有することを特徴とする請求項１または４に記載の扉の隙間遮蔽構造。
【請求項６】
前記戸当たりエッジに、前記目隠し片の先端が進入する凹部が形成されていることを特徴とする請求項１，４，５のいずれか１つに記載の扉の隙間遮蔽構造。
【請求項７】
前記目隠し片が、
戸先上下に渡って延在し前記戸先エッジに取り付けられる基部と、
該基部から延出して前記隙間を遮って前記戸当たりエッジに向かって突出し、前記基部よりも柔らかい素材により形成されるヒレ部と、
により形成されることを特徴とする請求項１〜６のいずれか１つに記載の扉の隙間遮蔽構造。
【発明の詳細な説明】
【技術分野】
【０００１】
本発明は、扉の隙間遮蔽構造に関する。
【背景技術】
【０００２】
公共の場に設置されるトイレブース等は、不意な開扉による人との衝突を防止するため、内開き扉とすることが一般的である。ところが、内開きの扉は、使用者が開扉空間に倒れ込むことにより解錠状態においても迅速な開扉が行えなくなる問題がある。このような課題を解決するものとして、扉と袖壁との隙間の目隠し機能を確保しながら、非常時における扉の外開きを可能とした技術が多く開示されている。例えば、目隠し突部を乗り超えるよう構成した特許文献１の指詰め防止用エッジ体、押圧力によって袖壁エッジ部材を変形させる特許文献２のトイレブースまたはシャワーブース用扉の開閉構造、目隠しとなる自在ピンが非常時に開き戸を両開きとする特許文献３の非常開錠機構、扉が移動可能な戸当たり部を押す特許文献４のトイレブース用扉枠、突片を室内側に弾性変形させて非常の際などに扉を室外側に開くことができるようにした特許文献５の内開き扉の遮蔽構造などが挙げられる。
【先行技術文献】
【特許文献】
【０００３】
【特許文献１】特開２０１３−１２４４８１号公報（図２、段落００１８）
【特許文献２】特開２０１３−１２４４８５号公報（図５、段落００１９、００２７）
【特許文献３】特開２０１４−１４１８７１号公報（図４、段落００２０）
【特許文献４】特開平１０−２８０８１３号公報（図１、段落００１５）
【特許文献５】特開２００２−１２１９７３号公報（図１、段落００２５）
【発明の概要】
【発明が解決しようとする課題】
【０００４】
しかしながら、特許文献１の指詰め防止用エッジ体、特許文献２のトイレブースまたはシャワーブース用扉の開閉構造は、複雑な形状の成形品を扉と袖壁との双方の端面に設けなければならず、コストが高くなる。また、特許文献３の非常開錠機構、特許文献４のトイレブース用扉枠は、可動部品を必要とするため、構造が複雑となりコストが高くなるとともに長期に渡り作動信頼性を確保するのが難しい。また、特許文献５の内開き扉の遮蔽構造は、複数部品から組み立てられるため、構造が複雑となりコストが高くなると共に部品管理も煩雑となる。また、隙間遮蔽構造は、袖壁側に主要部材が設けられていると、常時見える状態となり、見栄えが低下した。
【０００５】
本発明は上記状況に鑑みてなされたもので、その目的は、簡素な形状で隙間の目隠しが可能となり、非常開放時には扉をスムーズに通過させることができ、しかも、見栄えを低下させることがない扉の隙間遮蔽構造を提供することにある。
【課題を解決するための手段】
【０００６】
次に、上記の課題を解決するための手段を、実施の形態に対応する図面を参照して説明する。
本発明の請求項１記載の扉の隙間遮蔽構造は、出入口２３を有する個室２１を画成する壁パネル１３と、
壁パネル側に戸尻側が回転自在に支持されて、通常時は前記個室２１の室内側へ開扉して前記出入口２３を開放する扉１５と、
前記壁パネル１３に連結されて前記出入口２３に臨み、戸当たりエッジ２５が前記扉１５の戸先エッジ２７と隙間２９を有して対向する袖パネル１７と、
前記戸先エッジ２７表面における室内側に片寄った位置に取り付けられ、戸先上下に渡って延在し、前記隙間２９を遮って前記戸当たりエッジ２５に向かって突出する可撓性を有する目隠し片１９と、
を備えることを特徴とする。
【０００７】
この扉の隙間遮蔽構造では、目隠し片１９が、戸当たりエッジ２５に向かって突出し、戸先上下に渡って延在し、可撓性を有する、例えば帯状のヒレ部材を有して形成されている。これにより、扉の隙間遮蔽構造は、単純な形状の目隠し片１９を戸先エッジ２７の室内側に取り付けるのみの簡素な構造とすることができる。そして、扉の隙間遮蔽構造は、閉扉時、戸当たりエッジ２５と戸先エッジ２７との隙間２９が、目隠し片１９により遮られることで、隙間２９を通して個室２１内を外部から覗けなくできる。また、目隠し片１９は、非常開放時に扉１５が室外４７側に開放されても、戸当たりエッジ２５からの反力を受けて、容易に変形が可能となる。これにより、目隠し片１９は、戸当たりエッジ２５との干渉時における抵抗を抑制して、非常開放時のスムーズな開扉を実現させることができる。さらに、扉の隙間遮蔽構造は、目隠し片１９が、戸先エッジ２７表面における室内側に片寄った位置に取り付けられている。扉１５は、通常時、個室２１の室内３３側へ開扉された状態、所謂、常開状態となる。このため、扉１５が出入口２３を開放した開扉位置となり、目隠し片１９は、壁パネル１３側に寄ってる位置となり、出入口２３側から視認されにくくなる。これにより、扉の隙間遮蔽構造は、通常時、余計な部材・構造部分が目に入らず、扉１５や出入口２３がスッキリした外観となる。なお、扉１５が出入口２３を閉じた状態となる常閉状態もあるが、その場合は、出入口２３から、つまり扉１５に向かった状態で個室２１内方向を見た際には、隙間２９を遮蔽するように目隠し片１９が位置することになる。
【０００８】
本発明の請求項２記載の扉の隙間遮蔽構造は、請求項１に記載の扉の隙間遮蔽構造であって、
前記目隠し片７５が、前記扉１５の内面とほぼ平行に突出し、
前記戸当たりエッジ７７が、前記袖パネル１７の板厚方向の略中央を頂点とする凸曲面４９を、少なくとも室内側に有することを特徴とする。
【０００９】
この扉の隙間遮蔽構造では、目隠し片７５が、扉１５の内面とほぼ平行に突出する。すなわち、目隠し片７５は、戸先エッジ７９から戸当たりエッジ７７に向かってほぼ真っ直ぐに突出する。一方、戸当たりエッジ７７は、袖パネル１７の板厚方向の略中央を頂点とする凸曲面４９を少なくとも室内側に有する。すなわち、戸当たりエッジ７７は、凸曲面４９の頂点から少なくとも室内側が、角部の除去された湾曲面（Ｒ面）となる。この湾曲面では、頂点よりも室外側及び頂点よりも室内側が、凸曲面４９の裾側となって隠れてしまう見隠（みえがくれ）となる。つまり、隙間２９から目視できなくなる。目隠し片７５は、先端が、この角部の除去された見隠（凸曲面４９の裾側）に接近して配置され、かつ視線６９を遮るようにして突出、つまり隙間２９を横断するように突出する。これにより、隙間２９が、目隠し片７５により遮られ、隙間２９を通して個室２１内を外部から覗けなくしている。
この扉の隙間遮蔽構造では、戸当たりエッジ７７が凸曲面４９を有することにより、凸曲面４９の見隠により、簡素な構造で、目隠し片７５の被りを確保しやすくすることができる。また、目隠し片７５も、突出方向が扉１５の内面とほぼ平行とされるとともに、単純な直線形状で形成でき、スッキリした外観となる。
【００１０】
本発明の請求項３記載の扉の隙間遮蔽構造は、請求項２に記載の扉の隙間遮蔽構造であって、
前記凸曲面４９を形成する曲率円Ｃｕｒは、直径Ｄが、袖パネル１７の板厚Ｔよりも大きくかつ袖パネル１７の板厚Ｔの２倍よりも小さいことを特徴とする。
【００１１】
この扉の隙間遮蔽構造では、凸曲面４９を形成する曲率円Ｃｕｒの直径Ｄが、袖パネル１７の板厚Ｔより小さくなることによる凸曲面４９の欠けが生じなくなる。また、凸曲面４９を形成する曲率円Ｃｕｒの直径Ｄが、袖パネル１７の板厚Ｔの２倍より大きくなることによる凸曲面４９の平坦化が抑制される。すなわち、見隠の消失が防止できる。
【００１２】
本発明の請求項４記載の扉の隙間遮蔽構造は、請求項１に記載の扉の隙間遮蔽構造であって、前記目隠し片１９が、前記扉１５の開扉側へ向かう方向に傾斜して設けられることを特徴とする。
【００１３】
この扉の隙間遮蔽構造では、目隠し片１９が、扉１５の開扉側へ向かう方向に傾斜する。ここで、戸先エッジ２７の表面から目隠し片１９が突出する点を通り、扉１５の内面と平行な水平方向の仮想線７１を考える。目隠し片１９は、この仮想線７１に対して所定の角度θを有して室内３３側へ倒れ（傾斜し）ている。扉１５は、非常開放時、室外４７側へ開かれる。目隠し片１９は、この非常開放時の開扉方向と反対側に傾斜している。これにより、目隠し片１９は、非常開放時に、さらに傾斜する方向への容易な変形が可能となる。
【００１４】
本発明の請求項５記載の扉の隙間遮蔽構造は、請求項１または４に記載の扉の隙間遮蔽構造であって、
前記目隠し片１９が、先端に、前記扉１５の開扉側へ向かう方向に屈曲した屈曲部７３を有することを特徴とする。
【００１５】
この扉の隙間遮蔽構造では、目隠し片１９が、先端に、屈曲部７３を有する。屈曲部７３を有した目隠し片１９は、平面視で略Ｊ字、略Ｌ字、或いは略ヘ字状となる。つまり、この先端の屈曲部７３は、傾斜する目隠し片１９に対して、さらに同方向に曲がって形成される。従って、屈曲部７３は、非常開放時、目隠し片１９が室外側へ移動する際、目隠し片１９の傾斜方向への容易な変形を妨げない。また、目隠し片１９は、この屈曲部７３が形成されることにより、剛性が高まる。これにより、目隠し片１９は、可撓性を有して容易な変形を許容しながら、へたりや、よれを生じにくくして、型崩れしにくくなり、変形による隙間を生じさせにくい。
【００１６】
本発明の請求項６記載の扉の隙間遮蔽構造は、請求項１，４，５のいずれか１つに記載の扉の隙間遮蔽構造であって、
前記戸当たりエッジ２５に、前記目隠し片１９の先端が進入する凹部５５が形成されていることを特徴とする。
【００１７】
この扉の隙間遮蔽構造では、目隠し片１９は、戸当たりエッジ２５の凹部５５に進入する分、凹部５５が無い場合に比べ、突出長を長く形成することができる。突出長が長い目隠し片１９は、突出長が短い目隠し片１９に比べ、非常開放時における局所的な変形量が小さくなる。これにより、目隠し片１９は、非常開放時に、弾性限度に対して余裕を持たせて変形させることができる。つまり、目隠し片１９は、変形時の荷重を小さくし、塑性変形を生じにくくできる。
【００１８】
本発明の請求項７記載の扉の隙間遮蔽構造は、請求項１〜６のいずれか１つに記載の扉の隙間遮蔽構造であって、
前記目隠し片１９が、
戸先上下に渡って延在し前記戸先エッジ２７に取り付けられる基部６３と、
該基部６３から延出して前記隙間２９を遮って前記戸当たりエッジ２５に向かって突出し、前記基部６３よりも柔らかい素材により形成されるヒレ部６５と、
により形成されることを特徴とする。
【００１９】
この扉の隙間遮蔽構造では、目隠し片１９が、比較的硬質の基部６３と、この基部６３よりも柔らかいヒレ部６５とからなる。目隠し片１９は、例えば、戸先エッジ２７に形成された上下方向に延在するアリ溝部６７に、このアリ溝部６７とほぼ同一断面形状で形成した基部６３が、戸先エッジ２７の上端または下端から差し入れて、取り付けられる。目隠し片１９は、基部６３が硬質となることにより、真直性を維持し、戸先エッジ２７への取付作業性が向上する。また、目隠し片１９は、硬質の基部６３が戸先エッジ２７に保持されるので、基部６３が軟質の場合に比べ、戸先エッジ２７に対しての取付強度が大きくなる。そして、基部６３が確実に固定された目隠し片１９は、ヒレ部６５が柔らかいので、非常開放時には、戸当たりエッジ２５からの反力により容易に変形が可能となる。
【発明の効果】
【００２０】
本発明に係る請求項１記載の扉の隙間遮蔽構造によれば、簡素な形状で隙間の目隠しが可能となり、非常開放時には扉をスムーズに通過させることができ、しかも、見栄えを低下させることがない。
【００２１】
本発明に係る請求項２記載の扉の隙間遮蔽構造によれば、目隠し片が扉の内面とほぼ平行に突出し、戸当たりエッジが扉厚方向の略中央を頂点とする凸曲面で形成されるので、隙間遮蔽構造を簡素にできるとともに、目隠し片を戸当たりエッジに引っ掛かりにくくできる。
【００２２】
本発明に係る請求項３記載の扉の隙間遮蔽構造によれば、視線遮蔽効果の確保を確実にすることができる。
【００２３】
本発明に係る請求項４記載の扉の隙間遮蔽構造によれば、非常開放時に、目隠し片を曲がりやすくすることができる。
【００２４】
本発明に係る請求項５記載の扉の隙間遮蔽構造によれば、屈曲部によって目隠し片をへたりにくくして長期に渡り形状を維持でき、また、変形による隙間発生を防ぎ、光洩れを抑制できる。
【００２５】
本発明に係る請求項６記載の扉の隙間遮蔽構造によれば、対向する戸当たりエッジに凹部が形成されることで、目隠し片の突出長を長く形成でき、非常開放時に目隠し片をよりへたりにくく、かつ屈曲しやすくできる。
【００２６】
本発明に係る請求項７記載の扉の隙間遮蔽構造によれば、基部がヒレ部に対して比較的硬質であることで剛性を備え、目隠し片を戸先エッジに取り付ける際の作業性が向上し、目隠し片を戸先エッジに確実に保持させることができるとともに、ヒレ部が柔らかいことで非常開放時の妨げを抑制できる。
【図面の簡単な説明】
【００２７】
【図１】本発明の実施の形態１に係る扉の隙間遮蔽構造を備えたトイレブースの全体斜視図である。
【図２】図１に示したトイレブースの要部平断面図である。
【図３】扉の室内側の上部に戸当たり部材が設けられた隙間遮蔽構造の要部斜視図である。
【図４】非常開放時における戸当たり部材の動作説明図である。
【図５】扉により出入口が閉鎖されたトイレブースの要部平断面図である。
【図６】通常開放時の扉の開方向を示した平断面図である。
【図７】（ａ）は非常開放時に戸当たりエッジに目隠し片が接触した隙間遮蔽構造の平断面図、（ｂ）は非常開放時に目隠し片が変形した隙間遮蔽構造の平断面図である。
【図８】実施の形態２において扉により出入口が閉鎖されたトイレブースの要部平断面図である。
【図９】実施の形態２において通常開放時の扉の開方向を示した要部平断面図である。
【図１０】（ａ）は実施の形態２における非常開放時において戸当たりエッジに目隠し片が接触した隙間遮蔽構造の要部平断面図、（ｂ）は非常開放時に目隠し片が変形した隙間遮蔽構造の要部平断面図である。
【図１１】（ａ）は実施の形態２において通常の隙間が空いた隙間遮蔽構造の要部平断面図、（ｂ）は（ａ）の隙間が狭められた状態となった要部平断面図である。
【図１２】戸当たりエッジの室外側が戸先対向平坦面を有する実施の形態２の変形例を表す要部平断面図である。
【発明を実施するための形態】
【００２８】
以下、本発明に係る実施の形態を図面を参照して説明する。
［実施の形態１］
図１は本発明の実施の形態１に係る扉の隙間遮蔽構造を備えたトイレブース１１の全体斜視図である。
本実施の形態１に係る扉の隙間遮蔽構造は、壁パネル１３と、扉１５と、袖パネル１７と、目隠し片１９と、を主要な構成として有する。
【００２９】
本実施の形態１に係る扉の隙間遮蔽構造は、例えばトイレブース１１に好適に適用される。トイレブース１１は、壁パネル１３により各個室２１が仕切られる。壁パネル１３の端には、直交方向の袖パネル１７がＴ形或いはＬ形となって接続される。隣接する袖パネル１７の間は、個室２１の出入口２３となる。袖パネル１７は、出入口２３に臨み戸当たりエッジ２５が、扉１５の戸先エッジ２７と隙間２９を有して対向する。壁パネル１３は、出入口２３を有する個室２１を画成している。
【００３０】
出入口２３を挟んで隣接する一方（例えば室外から出入口２３に向かって右側）の袖パネル１７には、扉１５が取り付けられる。扉１５は、一方の袖パネル１７を介して壁パネル側に支持される。なお、本実施の形態１では、扉１５が一方の袖パネル１７を介して壁パネル側に支持されるが、扉１５は、直接、壁パネル１３に支持されてもよい。また、図示しないが、室外から出入口２３に向かって左側を戸尻側および吊元として構成することとしてもよい。扉１５は、戸尻側である吊元がヒンジ軸３１により一方の袖パネル１７に回転自在に支持される。扉１５は、室内３３に向かって開扉され（図１中矢線Ａ方向）、出入口２３を開放する。つまり、内開きである。扉１５は、通常の閉扉時、外方向への開放が扉１５の上部に設けられて袖パネル１７に当たる戸当たり部材３５により規制されている。
【００３１】
扉１５と袖パネル１７は、表面材が例えばメラミン樹脂化粧板よりなる。これら扉１５と袖パネル１７は、例えば３０ｍｍ程度の厚さで形成される。
【００３２】
図２は図１に示したトイレブース１１の要部平断面図である。
扉１５は、扉室内面に施解錠装置３７を備える。施解錠装置３７は、ロックボルト３９を、袖パネル室内面に設けたストライク４１に対して所定長のストローク４３で進退して係止・係止解除可能となる。施解錠装置３７は、扉室外面に表示板４５を有する。表示板４５は、ロックボルト３９の施解錠状態を室外４７へ表示する。この表示板４５には、図示しないが非常開放時用のキー差込口が設けられている。施解錠装置３７は、施錠状態において、室外４７からキー差込口に非常解錠キーを挿入して回すことにより解錠、すなわち、ロックボルト３９の後退が可能となっている。  
【００３３】
扉１５の吊元は、扉１５の上部及び下部に挿入されるヒンジ軸３１が、袖パネル１７に固定される支持アングルにより回転自在に支持される。なお、上部のヒンジ軸３１には、図示しないが抜け止めプレートが装着され、この抜け止めプレートを外すことにより、ヒンジ軸３１を抜いて、扉１５の吊元側の取り外しが可能な構造とすることもできる。
【００３４】
図３は扉１５の室内側の上部に戸当たり部材３５が設けられた隙間遮蔽構造の要部斜視図である。
戸当たり部材３５は、通常時の閉扉で、袖パネル１７に当たり、扉１５の外側（室外側）への開扉を規制している。この戸当たり部材３５は、上から押し下げると下方へスライドが可能となる（図３中破線で示す）。戸当たり部材３５は、下側へのスライド位置で、室内３３への揺動（図３中矢線Ｂ方向）が可能となる機構を備えている。
【００３５】
図４は非常開放時における戸当たり部材３５の動作説明図である。
戸当たり部材３５は、非常開放時、下側へスライドすることにより、扉１５の規制を解除し、扉１５の外開き（図４中矢線Ｃ方向）を可能としている。
【００３６】
図５は扉１５により出入口２３が閉鎖されたトイレブース１１の要部平断面図である。
扉１５は、戸先エッジ２７が、上下方向に連続する膨出部分を有する。膨出部分は、扉厚方向の略中央が稜線となる凸曲面４９、所謂蒲鉾状に形成されている。戸先エッジ２７は、この凸曲面４９を有することで、袖パネル１７に設けられた戸当たりエッジ２５との隙間２９を狭めている。なお、本実施の形態１では、扉１５の戸尻エッジ５１も同様の凸曲面４９を有して形成されている。
【００３７】
戸当たりエッジ２５は、戸先エッジ２７に対向する袖パネル１７の端面に設けられる。戸当たりエッジ２５は、扉厚方向の略中央が戸先エッジ２７に接近する方向に突出した隆起部５３が形成される。戸当たりエッジ２５は、この隆起部５３の室内側及び室外側の出隅部分となる位置が凹部５５となっている。戸当たりエッジ２５は、隆起部５３を挟んで室内側の凹部５５と、室外側の凹部５５とが対称となる形状に形成される。これにより、戸当たりエッジ２５は、扉１５の左右開きの何れにも対応可能となっている。この凹部５５の作用については、後に述べる。
【００３８】
なお、本実施の形態１では、戸尻エッジ５１に対向する袖パネル１７に、戸尻対向エッジ５７が設けられている。戸尻対向エッジ５７は、戸尻エッジ５１の凸曲面４９に沿う凹曲面５９を有する。凹曲面５９は、扉厚方向の略中央から室外側のみに形成され、室内側には形成されていない。これにより、扉１５は、通常時の室内側への開扉角度が、非常時の室外側への開扉角度よりも大きく確保される。戸尻対向エッジ５７は、凹曲面５９を有することにより、戸尻エッジ５１との隙間を狭めつつ湾曲させ、戸尻エッジ５１と袖パネル１７との間から室内３３を覗くのを防止する目隠しとして機能する。
【００３９】
戸先エッジ２７、戸当たりエッジ２５、戸尻エッジ５１、及び戸尻対向エッジ５７は、戸先や戸尻の上下に渡って延在する直線の帯板状に形成される。これら戸先エッジ２７、戸当たりエッジ２５、戸尻エッジ５１、及び戸尻対向エッジ５７は、例えば、アルミニウム形材からなり、図５に示すように、扉厚方向の略中央が固定ビス６１により扉１５や袖パネル１７の木口に固定される。固定ビス６１は、戸先や戸尻の上下に所定間隔で複数設けられる。
【００４０】
目隠し片１９は、戸先エッジ２７の表面における室内側に片寄った位置に取り付けられ、戸先上下に渡って延在する。目隠し片１９は、戸当たりエッジ２５に向かって突出することにより、隙間２９を狭め、遮る。目隠し片１９は、ゴムやエラストマー、軟質樹脂により形成され、可撓性を有する。
【００４１】
目隠し片１９は、基部６３と、ヒレ部６５と、を有する。基部６３は、戸先上下に渡って延在し、戸先エッジ２７に取り付けられる。基部６３は、延在方向に直交する断面形状が、Ｔ字状に形成される。ヒレ部６５は、戸先上下に渡って延在する。ヒレ部６５は、基部６３から戸当たりエッジ２５に向かって突出し、隙間２９を狭める。ヒレ部６５は、基部６３よりも柔らかい素材により形成される。一方、基部６３は、ヒレ部６５よりも硬い素材により形成される。基部６３とヒレ部６５とは、硬度の異なる同素材にて一体成形されてもよく、別体で成形したものを接合してもよい。
【００４２】
戸先エッジ２７は、凸曲面４９の室内側に、基部６３の係合するアリ溝部６７が形成される。目隠し片１９は、戸先エッジ２７に形成された上下方向に延在するアリ溝部６７に、このアリ溝部６７とほぼ同一断面形状で形成した基部６３が、戸先エッジ２７の上端または下端から差し入れて、取り付けられる。目隠し片１９は、基部６３が、扉１５の端縁で、通常開放方向側に寄った位置（面）に固定される。目隠し片１９は、戸当たりエッジ２５との間の離間距離を維持したまま、通常の扉１５の開閉時には戸当たりエッジ２５と接触・当接しない。目隠し片１９は、ヒレ部６５の先端が隙間２９に延伸して室内外方向の視線６９を阻む。
【００４３】
目隠し片１９は、扉１５の開扉側へ向かう方向に傾斜する。ここで、図５において、戸先エッジ２７の表面から目隠し片１９が突出する点を通り、扉１５の内面と平行な水平方向の仮想線７１を考える。目隠し片１９は、この仮想線７１に対して所定の角度θを有して室内側へ倒れ（傾斜し）ている。扉１５は、非常開放時、室外側へ開かれる。目隠し片１９は、この非常開放時の開扉方向と反対側、すなわち、室内側に傾斜している。
【００４４】
目隠し片１９は、先端に、扉１５の開扉側へ向かう方向に屈曲した屈曲部７３を有する。屈曲部７３を有した目隠し片１９は、平面視で略Ｊ字、略Ｌ字或いは略ヘ字状となる。つまり、目隠し片１９は、傾斜する先端に対して、さらに同方向に曲がる屈曲部７３を有している。
【００４５】
なお、目隠し片１９は、この屈曲部７３を省略してもよい。
【００４６】
目隠し片１９は、戸先エッジ２７に対して着脱自在で交換可能となる。すなわち、目隠し片１９は、破損や汚損に対し、交換が可能となる。目隠し片１９は、非常開放時に損傷する場合もある。その場合に目隠し片１９は、交換される。交換方法は、アルミ型材よりなる戸先エッジ２７に形成されたアリ溝部６７の長手方向端部、例えば上端から目隠し片１９を抜き取り、新たな目隠し片１９を挿入、固定する。戸先エッジ２７の端部、例えば上端には、キャップが嵌め込まれている。このキャップを取り外して、アリ溝部６７を開放して交換する。目隠し片１９は、基部６３が押し込みやすさを確保できる硬さ、または真直性を維持する硬さを有する。これにより、目隠し片１９は、基部６３がアリ溝部６７に対して交換しやすくなっている。
【００４７】
目隠し片１９は、取り付けられる対象に応じて色が異なる構成としてもよい。例えば木目調などとすることができる。これにより、目隠し片１９は、扉１５や袖パネル１７の組み合わせや色展開で種々のデザインに対応できるようになる。また、より目立たなくすることもできる。
【００４８】
戸当たりエッジ２５には、上記の凹部５５が設けられる。この凹部５５には、目隠し片１９の先端が進入する。より具体的には、目隠し片１９は、先端の屈曲部７３が、凹部５５に配置される。戸先エッジ２７から突出した目隠し片１９は、先端の屈曲部７３が凹部５５に配置されることにより、隙間２９を通して室内３３を覗く視線６９の範囲を遮ることができる。
【００４９】
図６は通常開放時の扉１５の開方向を示した平断面図である。
凹部５５は、より正確には、隆起部５３を挟んで扉厚方向の両側に形成される段部となる。すなわち、段部は、隆起部５３の反対側が扉厚み方向と平行な平坦面となる。これにより、戸先エッジ２７は、扉１５が室内側（図６中矢印Ａ方向）へ開扉された際に、目隠し片１９と干渉しない形状となっている。
【００５０】
目隠し片１９は、扉１５の強制的な逆方向の開放時、すなわち、非常開放時には、ヒレ部６５が戸当たりエッジ２５の隆起部５３に接触し、開放方向の移動を妨げずに屈曲変形する。また、目隠し片１９は、扉１５を非常開放時から元に戻す際にも、ヒレ部６５が隆起部５３に接触し、逆方向に変形して、元の位置に復元される。
【００５１】
次に、非常開放時の動作を説明する。
戸当たり部材３５は、扉１５の上端に設けられる。戸当たり部材３５は、非常開放時、図３及び図４を参照して説明した操作により、袖パネル１７と干渉しなくなる。これにより、扉１５は、外開きが可能となる（図４中矢線Ｃ）。
【００５２】
扉１５は、外開きされると、目隠し片１９のヒレ部６５が戸当たりエッジ２５の隆起部５３に当たる。扉１５がさらに開かれると、ヒレ部６５が隆起部５３に押圧されて室内側に倒れるように変形する。目隠し片１９は、扉１５が外側へ開放された後には、弾性により元の位置に戻る。
【００５３】
また、非常開放された扉１５が元に戻される時には、ヒレ部６５が、戸当たりエッジ２５の隆起部５３に外側から当たる。ヒレ部６５は、今度は室外側へ変形して倒れる。扉１５が室内側へ通過すると、ヒレ部６５は、弾性により元の位置に戻り、非常開放時前の状態に復帰する。
【００５４】
この他、扉の隙間遮蔽構造は、非常時以外に、清掃時に内開きの扉１５を一時的に外開きにしたいときにも使用可能となる。
【００５５】
なお、非常時ということで、目隠し片１９は、その際の動作より破損してしまっても構わないが、扉１５を戻すことで目隠し片１９も形状が戻り、再利用可能となることがより好ましい。
【００５６】
次に、上記した構成の作用を説明する。
本実施の形態１に係る扉の隙間遮蔽構造では、可撓性を有する目隠し片１９が、戸先エッジ２７表面における室内側に片寄った位置に取り付けられる。目隠し片１９は、戸当たりエッジ２５に向かって突出し、戸先上下に渡って延在する帯状のヒレ部材を有して形成されている。これにより、扉の隙間遮蔽構造は、単純な形状の目隠し片１９を戸先エッジ２７の室内側に取り付けるのみの簡素な構造とすることができる。
【００５７】
そして、目隠し片１９は、戸当たりエッジ２５に向かって突出することにより、隙間２９を狭め、遮る。扉の隙間遮蔽構造は、閉扉時、戸当たりエッジ２５と戸先エッジ２７との隙間２９が、目隠し片１９により遮られることで、隙間２９を通して個室内を外部から覗けなくできる。
【００５８】
図７（ａ）は非常開放時に戸当たりエッジ２５に目隠し片１９が接触した隙間遮蔽構造の平断面図、（ｂ）は非常開放時に目隠し片１９が変形した隙間遮蔽構造の平断面図である。
また、目隠し片１９は、可撓性を有する。目隠し片１９は、非常開放時に扉１５が室外側に開放されても、戸当たりエッジ２５からの反力を受けて、容易に変形が可能となる。これにより、目隠し片１９は、戸当たりエッジ２５との干渉時における抵抗を抑制して、非常開放時のスムーズな開扉を実現させることができる。
【００５９】
さらに、扉の隙間遮蔽構造は、目隠し片１９が、戸先エッジ２７の室内側に取り付けられている。扉１５は、通常時、個室２１の室内側へ開扉された状態となる。このため、目隠し片１９は、壁パネル１３側に延出する位置となり、出入口２３側から視認されにくくなる。これにより、扉の隙間遮蔽構造は、通常時、余計な部材・構造部分が目に入らず、扉１５や出入口２３がスッキリした外観となる。
【００６０】
なお、従来の扉の隙間遮蔽構造は、袖パネル側（戸当たりエッジ側）に目隠し片があり、常に目につき、見栄えが悪かった。また、出入口の縁に表出する位置であり、出入り時に常に触れてしまうものであった。
【００６１】
本実施の形態１での扉の隙間遮蔽構造は、開扉時に、目隠し片１９が壁パネル１３側に延出する位置となり、出入りの際に出入口２３には目隠し片１９が無く、出入口２３側から視認されない。このため、いたずら、例えば刃物等によって切断されにくくなる。
【００６２】
本実施の形態１のようなトイレブース１１において、扉１５が内開きである場合、室内３３に人が倒れていると、非常開放時に扉１５を室外側に開く必要がある。しかし、通常の納まりのままでは、室外側に開扉する際に、戸先エッジ２７と戸当たりエッジ２５が干渉してしまい、室外側に開扉することができない。そこで、扉の隙間遮蔽構造では、戸当たりエッジ２５の形状を変更するとともに、戸先エッジ２７に可撓性を有するヒレ状の目隠し片１９を設けている。これにより、通常開放時及び非常開放時にも扉１５を支障なく開扉可能としている。
【００６３】
なお、市場には非常解用の戸当たり部材３５（戸当たり金物とも称す）が用意されている。戸当たり部材３５を使用することにより、非常開放時には戸当たり機能を簡便に解除することができる。
【００６４】
本実施の形態１では、扉の隙間遮蔽構造が、戸先エッジ２７と戸当たりエッジ２５との間に設けられている。扉の隙間遮蔽構造は、図示は省略するが、戸尻エッジ５１と戸尻対向エッジ５７との間に設けることもできる。この場合、使用部材を共通化することができ、部品種類を削減できる。また、扉の隙間遮蔽構造は、戸尻エッジ５１と戸尻対向エッジ５７とを同様の納まり（構成）とすることで、戸尻対向エッジ５７に凹曲面５９を有する従来構造よりも、非常開放時の開放角度を大きく確保することができるようになる。
【００６５】
また、この扉の隙間遮蔽構造では、目隠し片１９が、扉１５の開扉側へ向かう方向に傾斜する。扉１５は、非常開放時、室外側へ開かれる。目隠し片１９は、この非常開放時の開扉方向と反対側、すなわち、室内側に傾斜している。これにより、目隠し片１９は、非常開放時に、さらに傾斜する方向への容易な変形が可能となる。その結果、非常開放時に、目隠し片１９を曲がりやすくすることができる。
【００６６】
また、この扉の隙間遮蔽構造では、目隠し片１９が、先端に、屈曲部７３を有する。屈曲部７３を有した目隠し片１９は、平面視で略ヘ字状となる。つまり、この先端の屈曲部７３は、傾斜する目隠し片１９に対して、さらに同方向に曲がって形成される。従って、屈曲部７３は、非常開放時、目隠し片１９が室外側へ移動する際、目隠し片１９の傾斜方向への容易な変形を妨げない。そして、目隠し片１９は、この屈曲部７３が形成されることにより、剛性が高まる。これにより、目隠し片１９は、可撓性を有して容易な変形を許容しながら、へたりや、よれを生じにくくして、型崩れしにくくなる。その結果、目隠し片１９を長期に渡り形状維持でき、光洩れ等を抑制できる。
【００６７】
そして、この扉の隙間遮蔽構造では、目隠し片１９が、比較的硬質の基部６３と、この基部６３よりも柔らかいヒレ部６５とからなる。目隠し片１９は、戸先エッジ２７に形成された上下方向に延在するアリ溝部６７に、このアリ溝部６７とほぼ同一断面形状で形成した基部６３が、戸先エッジ２７の上端または下端から差し入れて、取り付けられる。この際、目隠し片１９は、基部６３が硬質となることにより、アリ溝部６７への取付作業性が向上する。また、目隠し片１９は、硬質の基部６３がアリ溝部６７に保持されるので、基部６３が軟質の場合に比べ、戸先エッジ２７に対しての取付強度が大きくなる。そして、基部６３が確実に固定された目隠し片１９は、ヒレ部６５が柔らかいので、非常開放時には、戸当たりエッジ２５からの反力により容易に変形が可能となる。その結果、目隠し片１９を戸先エッジ２７に確実に保持できるとともに、非常開放時の妨げを抑制できる。
なお、図示しないが、目隠し片１９の基部にアリ溝部を設け、戸先エッジ２７に突起や突条を設ける構成としてもよく、上記同様に目隠し片の基部を硬質とすることで取付作業性が向上する。
【００６８】
さらに、この扉の隙間遮蔽構造では、目隠し片１９は、戸当たりエッジ２５の凹部５５に進入する分、凹部５５が無い場合に比べ、突出長を長く形成することができる。突出長が長い目隠し片１９は、突出長が短い目隠し片１９に比べ、非常開放時における局所的な変形量が小さくなる。これにより、目隠し片１９は、非常開放時に、弾性限度に対して余裕を持たせて変形させることができる。つまり、目隠し片１９は、変形時の荷重を小さくし、塑性変形を生じにくくできる。その結果、目隠し片１９をよりへたりにくく、かつ屈曲しやすくできる。
【００６９】
［実施の形態２］
次に、本発明の実施の形態２に係る扉の隙間遮蔽構造を説明する。
【００７０】
図８は実施の形態２において扉１５により出入口２３が閉鎖されたトイレブース１１の要部平断面図である。なお、実施の形態２においては、実施の形態１で説明した部材と同一の部材には同一の符号を付し重複する説明は省略する。
実施の形態２に係る扉の隙間遮蔽構造は、目隠し片７５と、戸当たりエッジ７７と、戸先エッジ７９とが、実施の形態１の構成と異なる。実施の形態２のその他の構成は、実施の形態１と同じである。
【００７１】
実施の形態２に係る扉の隙間遮蔽構造において、目隠し片７５は、扉１５の内面とほぼ平行に突出する。また、戸当たりエッジ７７は、袖パネル１７の板厚Ｔ方向の略中央を頂点とする凸曲面４９を、少なくとも室内３３側に有する。
【００７２】
また、この扉の隙間遮蔽構造において、凸曲面４９を形成する曲率円Ｃｕｒは、直径Ｄが、袖パネル１７の板厚Ｔよりも大きくかつ袖パネル１７の板厚Ｔの２倍よりも小さい。
【００７３】
戸先エッジ７９は、先端面が戸先平坦面８１となる。戸先平坦面８１は、ほぼ平坦面となる。本実施の形態２において、戸先平坦面８１は、極めて緩いカーブで形成される。従って、戸先エッジ７９は、平面視において矩形状ではない。なお、戸先平坦面８１は、扉１５の表面に直交する平坦面であってもよい。
【００７４】
図９は実施の形態２において通常開放時の扉１５の開方向を示した要部平断面図である。
戸当たりエッジ７７は、頂点よりも室内３３側に、凸曲面４９を有する。これにより、戸先エッジ７９は、扉１５が室内３３側（図９中矢印Ａ方向）へ開扉された際に、目隠し片７５と干渉しない形状となっている。なお、本実施の形態２において、戸当たりエッジ７７は、室内３３側と室外４７側との双方が連続する凸曲面４９（曲率円Ｃｕｒの円弧）で形成される。
【００７５】
図１０（ａ）は実施の形態２における非常開放時において戸当たりエッジ７７に目隠し片７５が接触した隙間遮蔽構造の要部平断面図、（ｂ）は非常開放時に目隠し片７５が変形した隙間遮蔽構造の要部平断面図である。
目隠し片７５は、図１０（ａ）に示す扉１５の強制的な逆方向（図１０中矢印Ｃ方向）の開放時、すなわち、非常開放時には、ヒレ部６５が戸当たりエッジ７７の凸曲面４９に接触し、図１０（ｂ）に示すように、開放方向の移動を妨げずに屈曲変形する。また、目隠し片７５は、扉１５を非常開放時から元に戻す際にも、ヒレ部６５が凸曲面４９に接触し、逆方向に変形して、元の位置に復元される。
【００７６】
次に、上記した構成の作用を説明する。
【００７７】
実施の形態２に係る扉の隙間遮蔽構造では、目隠し片７５が、扉１５の内面とほぼ平行に突出する。すなわち、目隠し片７５は、戸先エッジ７９から戸当たりエッジ７７に向かってほぼ真っ直ぐに突出する。一方、戸当たりエッジ７７は、扉厚方向の略中央を頂点とする凸曲面４９を少なくとも室内３３側に有する。すなわち、戸当たりエッジ７７は、凸曲面４９の頂点から少なくとも室内３３側が、角部の除去された湾曲面となる。
【００７８】
ここで湾曲面とは、稜（りょう）の丸い所謂Ｒ面を言う。この湾曲面では、頂点よりも室外４７側及び頂点よりも室内側が、凸曲面４９の裾側となって隠れてしまうみえがくれ（見隠：表面から隠れている部分）となる。つまり、隙間２９から奥側、すなわち室外から室内側方向、或いは室内から室外方向の湾曲面が目視できなくなる。目隠し片７５は、先端が、この角部の除去された見隠、つまり頂点より室内側の凸曲面４９に接近して配置され、かつ視線６９を遮るようにして突出、つまり、隙間２９を横断するように突出する。これにより、隙間２９が、目隠し片７５により遮られ、隙間２９を通して個室２１内を外部（室外４７）から覗けなくしている。
【００７９】
この扉の隙間遮蔽構造では、戸当たりエッジ７７が凸曲面４９を有することにより、凸曲面４９の見隠により、簡素な構造で、目隠し片７５の被りを確保しやすくすることができる。また、目隠し片７５も、突出方向が扉１５の内面とほぼ平行とされるとともに、単純な直線形状で形成でき、スッキリした外観となる。その結果、隙間遮蔽構造を簡素にできるとともに、目隠し片７５を戸当たりエッジ７７に引っ掛かりにくくできる。
【００８０】
図１１（ａ）は実施の形態２において通常の隙間２９が空いた隙間遮蔽構造の要部平断面図、（ｂ）は（ａ）の隙間２９が狭められた状態となった要部平断面図である。
また、実施の形態２に係る扉の隙間遮蔽構造では、扉１５の建て込み（施工公差）や、各部材の寸法公差、さらには部材の経年劣化等により、図１１（ａ）に示す標準隙間距離Ｓの隙間２９が図１１（ｂ）に示す最小隙間距離Ｓｍｉｎとなって減少する場合がある。隙間２９が減少した場合、目隠し片７５の突出先端は、戸当たりエッジ７７に近接あるいは接触することが考えられる。この場合、凸曲面４９である湾曲面は、扉１５が室内３３側に開く通常開放時に、扉１５とともに開放される方向に移動する目隠し片７５の先端に対し、急峻に離反する方向の面となる。すなわち、凸曲面４９は、目隠し片７５の先端が接触した点における接線８７と、目隠し片７５の突出方向における延長線８９との成す角θ１が鋭角であり、かつ、その角度が凸曲面４９の裾側に向かうに連れて小さくなる、つまり直線である接線８７に対して凸曲面４９が離れることになる。
【００８１】
これにより、扉の隙間遮蔽構造では、隙間２９の間隔距離Ｓが好ましい間隔よりも狭まってしまい、目隠し片７５の先端が戸当たりエッジ７７に接触するようなことがあっても、扉１５の通常開放の際には戸当たりエッジ７７の表面（凸曲面４９）から容易に離反する配置関係となり、目隠し片７５が戸当たりエッジ７７に引っ掛かり、扉１５の通常開放を妨げることはない。また、戸当たりエッジ７７が平面の場合に比べ、目隠し片７５が戸当たりエッジ７７に接触して突っ張り状態となったり引っ掛かるなど、扉１５の通常開放を妨げてしまうことを確実に回避できる。
【００８２】
また、実施の形態２に係る扉の隙間遮蔽構造では、凸曲面４９を形成する曲率円Ｃｕｒは、直径Ｄが、袖パネル１７の板厚Ｔよりも大きい。これにより、凸曲面４９を形成する曲率円Ｃｕｒの直径Ｄが、袖パネル１７の板厚Ｔより小さくなることによる凸曲面４９の欠けが生じなくなる。また、曲率円Ｃｕｒは、直径Ｄが、袖パネル１７の板厚Ｔの２倍よりも小さい。これにより、凸曲面４９の平坦化が抑制され、見隠の消失が防止されている。その結果、視線遮蔽効果の確保を確実にすることができる。なお、この凸曲面４９の形状については、上記した曲率円Ｃｕｒに限定されることはなく、袖パネル１７の板厚方向の略中央を頂点とする凸状の湾曲面であれば良く、楕円形からなる形状や二次曲線などその他の形状で形成されることとしてもよい。
【００８３】
図１２は戸当たりエッジ８３の室外４７側が戸先対向平坦面８５を有する実施の形態２の変形例を表す要部平断面図である。
なお、戸当たりエッジ８３は、凸曲面４９が、室内３３側のみに形成されていてもよい。この場合、戸当たりエッジ８３は、室外４７側の角部が残され、戸先対向平坦面８５が形成される。角部が残されることで、室外４７側の隙間２９は、狭くなるが、視線６９は、上記同様に遮られる。その結果、本変形例においても、視線遮蔽効果は、低下することがない。
【００８４】
従って、上記した各実施の形態に係る扉の隙間遮蔽構造によれば、簡素な形状で隙間２９の目隠しが可能となり、非常開放時には扉１５をスムーズに通過させることができ、しかも、見栄えを低下させることがない。
【００８５】
本発明は上記の実施の形態に限定されるものではなく、実施の形態の各構成を相互に組み合わせることや、明細書の記載、並びに周知の技術に基づいて、当業者が変更、応用することも本発明の予定するところであり、保護を求める範囲に含まれる。
【００８６】
例えば上記の構成例では、扉の隙間遮蔽構造がトイレブースに適用される場合を例に説明したが、この他、扉の隙間遮蔽構造は、隙間の目隠しが必要であり、比較的小スペースの空間となる例えば浴室、サニタリー、更衣室等、密閉性は必要ないが、扉周りでの隙間に目隠しが必要な構造物にも適用することができる。なお、このような構造物などに適用する場合も含め、上記の構成例においては扉１５が支持される構造体として袖パネル１７や壁パネル１３を具体例として述べたが、建物躯体の壁など構造物の躯体側に直接あるいは袖パネル１７を介して扉１５が支持される構成としても良い。
【符号の説明】
【００８７】
１３…壁パネル
１５…扉
１７…袖パネル
１９，７５…目隠し片
２１…個室
２３…出入口
２５，７７…戸当たりエッジ
２７，７９…戸先エッジ
２９…隙間
４９…凸曲面
５５…凹部
６３…基部
６５…ヒレ部
７３…屈曲部
Ｃｕｒ…曲率円
Ｄ…直径
Ｔ…板厚
【図１】
2020037851.tif 000003
【図２】
2020037851.tif 000004
【図３】
2020037851.tif 000005
【図４】
2020037851.tif 000006
【図５】
2020037851.tif 000007
【図６】
2020037851.tif 000008
【図７】
2020037851.tif 000009
【図８】
2020037851.tif 000010
【図９】
2020037851.tif 000011
【図１０】
2020037851.tif 000012
【図１１】
2020037851.tif 000013
【図１２】
2020037851.tif 000014